(57)【要約】【課題】本体及び蓋体の強固な連結を実現しながら、本体及び蓋体を合わせる手間が低減できるようにする。【解決手段】シャリ玉を収納する収納部11を複数備えた本体１a及び蓋体１bを重ねて構成されるシャリ玉用容器において、本体１a及び蓋体１bは、密な嵌合関係にある凸部12及び凹部13を、収納部11を囲むフレーム14に形成した同一構造で、対となる凸部12及び凹部13は、本体12及び蓋体13の短手方向中間線Ｓを挟んで線対称位置に設けられたことを特徴とするシャリ玉用容器である。【選択図】図７
2017145016.tif 000002
【特許請求の範囲】
【請求項１】
シャリ玉を収納する収納部を複数備えた本体及び蓋体を重ねて構成されるシャリ玉用容器において、
本体及び蓋体は、密な嵌合関係にある凸部及び凹部を、収納部を囲むフレームに形成した同一構造で、
対となる凸部及び凹部は、本体及び蓋体の長手方向中間線又は短手方向中間線を挟んで線対称位置に設けられたことを特徴とするシャリ玉用容器。
【発明の詳細な説明】
【技術分野】
【０００１】
本発明は、握り寿司用のシャリ玉を収納して搬送又は保管に供するシャリ玉用容器に関する。
【背景技術】
【０００２】
近年では、工場で大量生産された握り寿司用のシャリ玉が、飲食店やスーパーに搬送され、握り寿司の製造、販売に利用される。シャリ玉は、シャリ玉をシャリ玉用容器に収納して搬送又は保管に供される。シャリ玉用容器（シャリ塊搬送容器）は、例えば特許文献１に見られるように、シャリ玉（シャリ塊）を収納する多数の収納部（凹部）を設けた樹脂製の本体（容器本体）及び蓋体から構成される（特許文献１・［請求項１］）。シャリ玉は、本体及び蓋体の収納部が合わさって形成される空間に収納され、過度な乾燥や形崩れが防止された状態で、搬送又は保管される。
【０００３】
特許文献１が開示するシャリ玉用容器は、本体の外周壁（本体周壁部）に設けられた突起部（特許文献１・［請求項２］）に蓋体の外周フランジ（蓋体フランジ部）を掛合させ、蓋体を本体から外れにくくしている（特許文献１・［0016］［0017］）。また、本体及び蓋体それぞれのフレーム面（本体：底部、蓋体：天部）に設けた凸部及び収納部（嵌合収納部）（特許文献１・［請求項３］）の嵌合により、本体及び蓋体の強固な連結を実現し、蓋体を本体から外れにくくしている（特許文献１・［0018］）。
【先行技術文献】
【特許文献】
【０００４】
【特許文献１】登録実用新案第3167901号公報
【発明の概要】
【発明が解決しようとする課題】
【０００５】
特許文献１が開示するシャリ玉用容器は、本体及び蓋体それぞれに対となる掛合部位（本体の突起部と蓋体の外周フランジ、本体の凸部と蓋体の収納部）を設けている。これは、シャリ玉用容器を構成するため、それぞれが別構造の本体及び蓋体である２種類の製品が必要になることを意味する。特許文献１が図示する例示からも明らかなように、シャリ玉用容器を構成する本体及び蓋体は、非常に似通った外観を有する。このため、従来のシャリ玉用容器は、本体同士又は蓋体同士を合わせようとして、シャリ玉の収納に時間が掛かる問題がある。そこで、特許文献１が開示するような本体及び蓋体の強固な連結を実現しながら、本体及び蓋体を合わせる手間が低減できるようにするため、検討した。
【課題を解決するための手段】
【０００６】
検討の結果開発した物が、シャリ玉を収納する収納部を複数備えた本体及び蓋体を重ねて構成されるシャリ玉用容器において、本体及び蓋体は、密な嵌合関係にある凸部及び凹部を、収納部を囲むフレームに形成した同一構造で、対となる凸部及び凹部は、本体及び蓋体の長手方向中間線又は短手方向中間線を挟んで線対称位置に設けられたことを特徴とするシャリ玉用容器である。本体及ぶ蓋体は、通常、樹脂製の一体成形品として形成されるが、シャリ玉用容器として利用可能であれば、金属製又は木製でもよい。また、凸部又は凹部のみをゴム製で構成してもよい。
【０００７】
本発明のシャリ玉用容器は、特許文献１と同様、シャリ玉を収納する収納部を複数備えた本体及び蓋体とを重ねて構成される。しかし、本発明のシャリ玉用容器は、本体及び蓋体がそれぞれ構成されるのではなく、本体及び蓋体が密な嵌合関係にある凸部及び凹部を、収納部を囲むフレームに形成した同一構造である。このため、本発明のシャリ玉用容器は、２つの同一構造の製品の一方を本体、他方を蓋体として、重ねて構成される。
【０００８】
「密な嵌合関係にある凸部及び凹部」は、嵌合した際、凸部の表面と凹部の表面とが接触して摩擦抵抗を発生し、容易に分離しない程度の嵌合状態となる凸部及び凹部を意味する。これから、凸部及び凹部は、転写関係にある外形状であることが好ましいが、前記嵌合状態を実現できれば、凸部及び凹部の外形状は限定されない。また、接触する凸部の表面と凹部の表面とは、それぞれ凸部又は凹部の全部でなくてもよく、容易に分離しない程度の嵌合状態を形成できれば、凸部の表面と凹部の表面とは一部が接触するだけでもよい。
【０００９】
対となる凸部及び凹部が「本体及び蓋体の長手方向中間線又は短手方向中間線を挟んで線対称位置に設けられ」るとは、凸部及び凹部を一組として、凸部を設けた位置と凹部を設けた位置とが、本体及び蓋体の長手方向中間線（長手方向二等分線）又は短手方向中間線（短手方向二等分線）を挟んで線対称な関係にあることを意味する。凸部及び凹部の組が複数ある場合、各組における凸部及び凹部が前記線対称な関係にある。これから、本体及び蓋体に設けられる凸部及び凹部は同数となる。
【発明の効果】
【００１０】
本発明により、特許文献１が開示するような本体及び蓋体の強固な連結を実現しながら、本体及び蓋体の区別なく両者を合わせられる。これは、製造の観点から、１種類の製品を製造すれば、本体及び蓋体のいずれにも利用できることを意味し、本体及び蓋体に費やす製造コストや管理コストを低減できる効果をもたらす。また、本体及び蓋体の構造が同一であるため、両者を合わせるため、蓋体及び蓋体を区別することなく、同一構造の製品を２つ用意すれば済むことになり、使用に際する手間が低減される効果も得られる。
【図面の簡単な説明】
【００１１】
【図１】本発明を適用したシャリ玉用容器の一例を表す平面図である。
【図２】本例のシャリ玉用容器の正面図である。
【図３】本例のシャリ玉用容器の右側面図である。
【図４】図１中Ａ-Ａ断面図である。
【図５】図１中Ｂ-Ｂ断面図である。
【図６】図１中Ｃ-Ｃ断面図である。
【図７】蓋体と本体とを重ね合わせている状態を表す図４相当断面図である。
【発明を実施するための形態】
【００１２】
以下、本発明を実施するための形態について図を参照しながら説明する。本発明のシャリ玉用容器は、図１〜図６に見られる同形の樹脂一体成形品である本体１a及び蓋体１bから構成される。本発明のシャリ玉用容器は、本体１a及び蓋体１bが同一構造であり、いずれも図１〜図６に見られる構造である。これから、図示された樹脂一体成形品を本体１aとして説明する。蓋体１bは、本体１aと同一構造なので、前記説明が当てはまる。
【００１３】
本体１aは、シャリ玉（図示略）の外径に倣った水平に長い直方体を上下に半割した形状の収納部11を、長手方向（図１中上下方向）に５個、短手方向（図１中左右方向）に12個、合計60個を配列した樹脂一体成形品である。シャリ玉は、本体１aの収納部11と蓋体１bの収納部11とが上下に合わさった空間に収納される。各収納部11は、平面視略長方形の平板であるフレーム14に上面を開口させることにより、前記フレーム１4を介して相互の位置関係を固定している。
【００１４】
本例の収納部11は、長手方向等間隔に、左右の壁面管にわたって延びる補強リブ111を複数設けている。また、隣り合う収納部11,11は、フレーム14から降りるそれぞれの壁面を一体に仕切142として区切られている。仕切142は、中央に収納部11の深さの半分程度に落ち込んだ仕切凹部143を設けている。仕切凹部143は、下半分が収納部11に収納されるシャリ玉を容易に掴んで取り出せるようにする。
【００１５】
フレーム14は、図１中右から４個までの収納部11の角部を突き合わせた位置に凸部12を、図１中左から４個までの収納部11の角部を突き合わせた位置に凹部13を、それぞれ12個ずつ設けている。凸部12及び凹部13は、本体１aの短手方向中間線Ｓを挟んで線対称位置に設けられている（図１参照）。凸部12は、天井面が半球状の円筒状突起で、凹部13は前記凸部12の転写構造で、底面が半球状の円筒状凹みである。これにより、凸部12及び凹部13は、本体１a及び蓋体１bを重ね合わせるとき、互いの側面を接触させて摩擦抵抗を発生させ、容易に分離しない程度の嵌合状態となる。
【００１６】
また、本例のフレーム14は、外向きに張り出す外周フランジの左辺に凸条リブ141、前記外周フランジの右辺に凹条リブ142を設けている。凸条リブ141及び凹条142は、本体１aの短手方向中間線Ｓを挟んで線対称位置に設けられている（図１参照）。凸条リブ141は、外周フランジの外縁に直交して内向きに延びる半円断面の凸部である。凹条リブ142は、前記凸条リブ141の転写構造で、外周フランジの外縁に直交して内向きに延びる半円断面の凹部である。凸条リブ141及び凹条リブ142は、本体１a及び蓋体１bを重ね合わせるとき、前記本体１a及び蓋体１bの位置ずれを防止するため、表面を接触させても摩擦抵抗を発生させることなく、緩く嵌合する。
【００１７】
本発明のシャリ玉用容器は、同一構造の樹脂一体成形品を２つ用意し、一方を本体１aとし、他方を上下反転させて蓋体１bとする。これは、前記樹脂一体成形品のみを用意して、適宜本体１a又は蓋体１bとして利用できることを意味し、両者の区別をなくすことにより、シャリ玉用容器の構成に掛かる作業の能率を向上させることができる効果をもたらす。本体１aは、収納部11にシャリ玉（図示略）を収納した状態で、図７に見られるように、蓋体１bを重ねる。このとき、本体１a及び蓋体１bそれぞれの凸部11及び凹部12や凸条リブ141及び凹条リブ142は、左右の位置関係が逆になっている。
【００１８】
これにより、本体１aの凸部11及び凸条リブ141が蓋体１bの凹部12及び凹条リブ142に嵌合し、本体１aの凹部12及び凹条リブ142が蓋体１bの凸部11及び凸条リブ141にそれぞれ嵌合する。凸条リブ141及び凹条リブ142の嵌合は、本体１a及び蓋体１bの位置合わせの働きを有する。凸部11及び凹部12の嵌合は、前記凸条リブ141及び凹条リブ142の嵌合の嵌合同様、本体１a及び蓋体１bの位置合わせの働きを発揮するほか、本体１a及び蓋体１bが容易に外れないようにしている。
【００１９】
凸部11及び凹部12は、それぞれの側面を密接させた摩擦抵抗により外れにくくしているが、例えば作業者が本体１aを押さえて蓋体１bを持ち上げれば簡単に分離できる。こうして凸部11及び凹部12を分離して本体１aから外した蓋体１bは、再利用してもいい。再利用される蓋体１bは、そのまま蓋体１bとしてもよいし、上下反転させて新たなシャリ玉用容器の本体１aとしてもよい。これは、本体１aを再利用する場合も同様である。こうした蓋体１bの本体１aへの転用又はその逆ができるのは、単一の樹脂一体成形品を適宜本体１a又は蓋体１bとして使い分けることによる効果である。
【符号の説明】
【００２０】
１a  本体
１b  蓋体
11  収納部
111  補強リブ
12  凸部
13  凹部
14  フレーム
141  凸条リブ
142  凹条リブ
143  仕切
144  仕切凹部
【図１】
2017145016.tif 000003
【図２】
2017145016.tif 000004
【図３】
2017145016.tif 000005
【図４】
2017145016.tif 000006
【図５】
2017145016.tif 000007
【図６】
2017145016.tif 000008
【図７】
2017145016.tif 000009